(57)【要約】      （修正有）【課題】特に飲料を安定的に且つスムーズに流出させることができる蓋を提供する。【解決手段】本体１０と、該本体の周縁に延設される係合部材１１と、上方に向かって径方向へ延出する斜面を有する流出口１４１を備え、前記本体の上面に形成される飲み口１４と、該飲み口の内部に形成される取り外し可能な封止部材１５とを有する。【選択図】図１
0003165311.tif 000002
【実用新案登録請求の範囲】
【請求項１】
本体と、
該本体の周縁に延設される係合部材と、
上方に向かって径方向へ延出する斜面を有する流出口を備え、前記本体の上面に形成される飲み口と、
前記飲み口の内部に形成される取り外し可能な封止部材とを有する蓋。
【請求項２】
前記本体は、その上面に形成され、上方に向かって突起し、上縁を有する頂部を備え、
前記頂部の一側に前記飲み口が設けられ、
前記飲み口の流出口の斜面が前記上縁まで延出することを特徴とする請求項１に記載の蓋。
【請求項３】
前記飲み口は、テーパー状に形成され、小径の流出端部と、大径の内端部とを有することを特徴とする請求項１または請求項２に記載の蓋。
【請求項４】
前記飲み口と封止部材との間に防漏溝が形成されることを特徴とする請求項１ないし請求項３の何れか一項に記載の蓋。
【請求項５】
前記封止部材における流出口の近傍まで突出する取っ手部材と、
前記封止部材の底部に形成される少なくとも１つの区画溝とを有することを特徴とする請求項１ないし請求項４の何れか一項に記載の蓋。
【考案の詳細な説明】
【技術分野】
【０００１】
本考案は、特に飲み物の飲み易さを考慮した利便性の高い蓋に関するものである。
【背景技術】
【０００２】
図９に示すように、一般にコップからの飲料の漏れを防ぐためには、飲料を収容する例えば紙コップなどの容器の開口に蓋９０を取り付ける。該蓋９０は、上方に向かって突起する頂部９１と、該頂部９１の周縁に延設される係合部材９２と、該頂部９１の上面周縁近傍に穿設される飲み口９３と、該上部９１の好適とされる箇所に穿設される通気穴９４とを有する。
【０００３】
前記従来の蓋９０を使用して飲料を飲む時は、該容器を傾け、前記通気穴９４の通気効果により、飲料を該蓋９０の飲み口９３から流出させれば、飲料を飲むことができる。
【考案の概要】
【考案が解決しようとする課題】
【０００４】
しかしながら、前記従来の蓋９０においては、飲み口９３が容器の内部と直接に連通するので、飲料を飲もうとして該容器を傾けると、極めて小さな飲み口９３から、飲料が急激に流出することから、飲料をスムーズに飲むことができないのみならず、飲料が漏れる可能性もあった。
【０００５】
また、従来においては、共に貫通穴である前記蓋９０の飲み口９３や通気穴９４からの飲料の漏れを防止するために、例えば、販売された飲料を使用者に渡す前に、シールやテープにより該飲み口９３や通気穴９４を封止している。
【０００６】
しかしながら、前記シールやテープを利用するだけでは、飲料の漏れを防ぎ切れない。この問題を解決するために、漏れが起きないように容器を封止可能な封止部材を有する蓋が案出された。この封止部材を有する蓋を利用すれば、飲料を飲む時に該封止部材を取り外せば、飲み口を露出させて容易に飲料を飲むことができる。しかしながら、この封止部材を有する蓋は、図９に示す従来の蓋に存在する問題の一部しか解決していない。即ち、封止部材を有する蓋を利用しても、コップを倒しすぎると、飲み口９３から勢いよく飲料が流れ出てしまう。
【０００７】
更に、従来の蓋の飲み口は、該蓋の上面と同じ高さに位置するので、飲み口の周辺に漏れた飲料はすぐに蓋の周縁へ流れ、または蓋の周縁から零れ落ちてしまうと共に、従来の蓋の飲み口は上述したような小さなものであるので、、例えば、砂糖やミルクなどの入れる時は、蓋ごと容器から取り外さなくてはならなく、また、蓋を取り外したり、取り付け直したりする動作を行うときには、相当気ををつけなければ、飲料を零してしまう虞があった。
【０００８】
そこで、案出されたのが本考案であって、例えば、コップを倒しすぎると、飲み口９３から飲料が急激に流出してしまうなどの従来の蓋の問題を解決するために、飲料を常に安定した状態で飲むことができる蓋を提供することを目的としている。
【課題を解決するための手段】
【０００９】
本願の請求項１の考案は、本体と、
該本体の周縁に延設される係合部材と、
上方に向かって径方向へ延出する斜面を有する流出口を備え、前記本体の上面に形成される飲み口と、
前記飲み口の内部に形成される取り外し可能な封止部材とを有することを特徴とする蓋を提供する。
【００１０】
本願の請求項２の考案は、前記本体が、その上面に形成され、上方に向かって突起し、上縁を有する頂部を備え、
前記頂部の一側に飲み口が設けられ、
前記飲み口の流出口の斜面が前記上縁まで延出することを特徴とする請求項１に記載の蓋を提供する。
【００１１】
本願の請求項３の考案は、前記飲み口がテーパー状に形成され、小径の流出端部と、大径の内端部とを有することを特徴とする請求項１または請求項２に記載の蓋を提供する。
【００１２】
本願の請求項４の考案は、前記飲み口と封止部材との間に防漏溝が形成されることを特徴とする請求項１ないし請求項３の何れか一項に記載の蓋を提供する。
【００１３】
本願の請求項５の考案は、前記封止部材における流出口の近傍まで突出する取っ手部材と、
前記封止部材の底部に形成される少なくとも１つの区画溝とを有することを特徴とする請求項１ないし請求項４の何れか一項に記載の蓋を提供する。
【考案の効果】
【００１４】
本考案は上記の課題を解決するものであり、飲料が急激に流れ出し、飲料を安定的にスムーズに飲むことができない従来の蓋の問題を解決することができるのみならず、テーパー状に形成される飲み口により、より安定的に且つスムーズに飲料を流出させると共に、前記防漏溝などの構造により飲料の漏れを防止し、更に、前記区画溝１５２により区画される多段式の封止部材の一部または全てを取り外すことにより、使用者の好みの大きさに飲み口を露出させることができる。
【図面の簡単な説明】
【００１５】
【図１】本考案に係る蓋の上面視斜視図である。
【図２】本考案に係る蓋における下面視斜視図である。
【図３】本考案に係る蓋の側面断面図である。
【図４】本考案に係る蓋の平面図である。
【図５】本考案に係る蓋の使用状態を示す側面断面図である。
【図６】本考案に係る蓋の使用状態を示す他の側面断面図である。
【図７】本考案に係る蓋の使用状態を示す平面図である。
【図８】本考案に係る蓋の使用状態を示す他の側面断面図である。
【図９】従来の蓋の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図４に示すように、本考案に係る蓋は、本体１０と、係合部材１１と、飲み口１４と、封止部材１５とを有し、その内、該係合部材１１は、該本体１０の周縁に延設され、該飲み口１４は、前記本体１０の上面に形成され、上方に向かって径方向へ延出する斜面１４２を有する流出口１４１を備え、該封止部材１５は、前記飲み口１４の内部に形成される取り外し可能なものである。
【００１８】
本考案に係る蓋の第１実施例においては、前記係合部材１１の内周面に係合構造１２が凸設され、該係合構造１２は、図面に示すように、該係合部材１１の内周面に凸設される係合リングであってもよいが、破線状を呈する複数の突起を有するものであってもよい。
【００１９】
前記本体１０は、その上面に形成され、上方に向かって突起し、上縁１３１を有する頂部１３を備え、該頂部１３の一側に前記飲み口１４が設けられ、該飲み口１４の内部に前記取り外し可能な封止部材１５が一体に形成され、更に、該飲み口１４の流出口１４１の斜面１４２は、前記上縁まで延出する構造となっている。
【００２０】
図５に示すように、容器２０に取り付けられる蓋を使用する時は、単に封止部材１５を取り外すせば、簡単に容器２０内の飲料を飲むことができ、また、図６に示すように、該容器２０を傾ければ、飲料を斜面１４２に沿って、流出口１４１へスムーズに送ることができる。
【００２１】
図１及び図４に示すように、本考案に係る蓋の第２実施例は、飲み口１４がテーパー状に形成され、小径の流出端部と、大径の内端部とを有するものである。この構造によれば、図５及び図６に示すように、流出口１４１の斜面１４２における飲料をガイドする効果に加え、飲み口１４を通過する飲料を、より効率的且つスムーズに流動させることができる。即ち、このテーパー状に形成され、小径の流出端部と、大径の内端部とを有する飲み口１４の構造は、前記第１実施例に述べた斜面１４２が設けられる流出口１４１を有する構造と併用することができる。
【００２２】
図１、図３及び図４に示すように、本考案に係る蓋の第３実施例は、飲み口１４と封止部材１５との間に防漏溝１４３が形成されるものであり、図７に示すように、該防漏溝１４３は、封止部材１５を取り外した状態では、飲み口１４から零れた少量の飲料を頂部１３に蔓延させないように収容することができ、また、この構造は、前記第１実施例において述べた、斜面１４２を具備する流出口１４１を有する構造や、前記第２実施例において述べた、テーパー状に形成され、小径の流出端部と、大径の内端部とを有する飲み口１４の構造と併用することができる。
【００２３】
図１及び図２に示すように、本考案に係る蓋の第４実施例はさらに、取っ手部材１５１と、少なくとも１つの区画溝１５２とを有し、該取っ手部材１５１は、封止部材１５における流出口１４１の近傍まで突出するものであり、該少なくとも１つの区画溝１５２は、該封止部材１５の底部に形成されることにより、封止部材１５を複数の部分に分画するものである。更に、複数の部分に区画される多段式の封止部材１５は、例えば１つの区画溝１５２により区画される第１部分１５３及び第２部分１５４を有し、使用者は、前記第１部分１５３のみ、もしくは第１部分１５３及び第２部分１５４の両方を全て取り外すことができる。また、図５に示すように、多段式の封止部材１５を取り外す時は、第１部分１５３を取り外した後、該第１部分１５３を捲るように上方へ引けば、簡単に第２部分１５４を剥がすことができる。尚、図８に示すように、第１部分１５３のみを取り外し、第２部分を本体１０と結合している状態のままにしてもかまわない。この構造によれば、使用者は、前記封止部材１５を好適な大きさに、即ち、封止部材１５を全て取り外し、飲み口１４を全て露出させることができるので、例えば、砂糖などの追加を容易に行うことができる。更に、図８に示すように、砂糖などの追加が不要な場合には、封止部材１５の一部である第１部分１５３のみを取り外せば、容器２０内における飲料の温度を長時間保持することができる。なお、前記区画溝１５２により区画される多段式の封止部材１５は、前記第１実施例において述べた、斜面１４２を具備する流出口１４１を有する構造と、または、前記第２実施例において述べたテーパー状に形成され、小径の流出端部と、大径の内端部とを有する飲み口１４の構造と、前記第３実施例において述べた、飲み口１４と封止部材１５との間に形成される防漏溝１４３の構造と併用することができる。
【産業上の利用可能性】
【００２４】
本考案は上記の構成を有するので、飲料を安定的に且つスムーズに流出させると共に、飲料の零れを防止でき、更に、好適な大きさで飲み口を露出させることができる。
【符号の説明】
【００２５】
１０    本体
１１    係合部材
１２    係合構造
１３    頂部
１４    飲み口
１５    封止部材
２０    容器
１３１  上縁
１４１  流出口
１４２  斜面
１４３  防漏溝
１５１  取っ手部材
１５２  区画溝
１５３  封止部材の第１部分
１５４  封止部材の第２部分
９０    蓋
９１    頂部
９２    係合部材
９３    飲み口
９４    通気穴
【図１】
0003165311.tif 000003
【図２】
0003165311.tif 000004
【図３】
0003165311.tif 000005
【図４】
0003165311.tif 000006
【図５】
0003165311.tif 000007
【図６】
0003165311.tif 000008
【図７】
0003165311.tif 000009
【図８】
0003165311.tif 000010
【図９】
0003165311.tif 000011